(57)【要約】【課題】対象物をスポット的に照明できると共に、そのスポット周辺部の暗がりの暗さを低減し、照明対象物の位置や大きさの変更等に容易に対応することができる照明装置を提供する。【解決手段】スポット照明装置５と；このスポット照明装置５を複数箇所に給電可能かつ着脱可能に取り付けるスポット取付部を有する環状凹部４を備え、配光幅がスポット照明装置５よりも広いベース照明装置３と；これらスポット照明装置５とベース照明装置３を配設した照明装置本体２と；を具備している。【選択図】  図１
2011034802.tif 000002
【特許請求の範囲】
【請求項１】
スポット照明装置と；
このスポット照明装置を複数箇所に給電可能かつ着脱可能に取り付けるスポット取付部を有し配光幅が前記スポット照明装置よりも広いベース照明装置と；
これらスポット照明装置とベース照明装置を配設した照明装置本体と；
を具備していることを特徴とする照明装置。
【請求項２】
前記スポット取付部は、
前記照明装置本体の前記ベース照明装置の外周に形成された環状凹部と；
前記照明装置本体の環状凹部の内側に配設されて前記スポット照明装置の受電部に着脱可能に装着されて電気的に接続される給電部と；
を具備していることを特徴とする請求項１記載の照明装置。
【請求項３】
前記給電部は、
前記スポット照明装置の受電部が装着された状態で周方向に摺動可能に構成され、
スポット照明装置を給電部の周方向に駆動する駆動装置を具備していることを特徴とする請求項２記載の照明装置。
【請求項４】
前記スポット照明装置は、
前記光源部からの光を外部に照射する照射部と、
この照射部を前記スポット照明装置の器具本体に傾動可能に設ける傾動部と、
を有し、
前記受電部に装着されたときに、その照射部の照射面が前記ベース照明装置の照射面よりも装置本体内側へ位置するように構成されていることを特徴とする請求項１ないし３のいずれか一記載の照明装置。
【発明の詳細な説明】
【技術分野】
【０００１】
本発明は、拡散性のあるベース照明装置に、指向性の高いスポット照明装置を移動可能に設けた照明装置に関する。
【背景技術】
【０００２】
従来から、照射方向を可変可能とした照明装置の一例としては、光源を備えた灯具を器具本体の垂直方向および水平方向の２軸回りにユニバーサルに回動可自在にしたものが知られている（例えば、特許文献１参照）。
【０００３】
そして、この種の照明装置の光源として、指向性の強い高輝度のＬＥＤ（発光ダイオード）を使用することにより、例えばショーケース内の宝石やアクセサリー等照明を受けて光輝く対象物をスポット的に照射して輝きを引き立てさせる小型のスポットライトも知られている。
【先行技術文献】
【特許文献】
【０００４】
【特許文献１】特開２００８−１１２５８２号公報
【発明の概要】
【発明が解決しようとする課題】
【０００５】
しかしながら、このようなスポットライトでは、その地明かりを天井設置の照明装置で確保するのが一般的であり、そのため、スポット光が照射された対象物と、照射されない周辺部との明暗の差が際立った空間となり、闇の深い暗がり部分ができてしまう。このために、意図しない照明空間になってしまう虞がある。
【０００６】
また、このスポットライトでは、その照射方向の可変角が構造上制限されるために、その対象物の位置や大きさが変更した場合には、その都度、スポットライト自体の設置箇所を一々変更しなければならず、煩雑であるという課題がある。
【０００７】
本発明は、このような事情を考慮してなされたもので、対象物をスポット的に照明できると共に、そのスポット周辺部の暗がりの暗さを低減し、照明対象物の位置や大きさの変更等に容易に対応することができる照明装置を提供することを目的とする。
【課題を解決するための手段】
【０００８】
請求項１に係る照明装置は、スポット照明装置と；このスポット照明装置を複数箇所に給電可能かつ着脱可能に取り付けるスポット取付部を有し配光幅が前記スポット照明装置よりも広いベース照明装置と；これらスポット照明装置とベース照明装置を配設した照明装置本体と；を具備していることを特徴とする。
【０００９】
ここで、「複数箇所に給電可能かつ着脱可能に取り付けるスポット取付部」とは、例えば長穴や環状溝のように連続的に形成されてもよく、または、例えば複数の独立した取付孔等のように断続的に形成されてもよい。
【００１０】
請求項２に係る照明装置は、前記スポット取付部は、前記照明装置本体の前記ベース照明装置の外周に形成された環状凹部と；前記照明装置本体の環状凹部の内側に配設されて前記スポット照明装置の受電部に着脱可能に装着されて電気的に接続される給電部と；を具備していることを特徴とする。
【００１１】
請求項３に係る照明装置は、前記給電部は、前記スポット照明装置の受電部が装着された状態で周方向に摺動可能に構成され、スポット照明装置を給電部の周方向に駆動する駆動装置を具備していることを特徴とする。
【００１２】
請求項４に係る照明装置は、前記スポット照明装置は、前記光源部からの光を外部に照射する照射部と、この照射部を前記スポット照明装置の器具本体に傾動可能に設ける傾動部と、を有し、前記受電部に装着されたときに、その照射部の照射面が前記ベース照明装置の照射面よりも装置本体内側へ位置するように構成されていることを特徴とする。
【発明の効果】
【００１３】
請求項１に係る発明によれば、スポット照明装置により対象物をスポット的に照明し、そのスポット光の周辺部を、地明かりとしてのベース照明装置により照明できるので、その周辺部の暗がりの暗さを低減できる。また、スポット照明装置を複数箇所に取り付けることができるので、照明対象物の位置や大きさの変更に応じてスポット照明装置の取付位置を容易に変更することができる。このために、照明装置自体の位置を変更する場合の煩雑さを軽減できる。
【００１４】
請求項２に係る発明によれば、ベース照明装置の外周にスポット照明装置を移動させる環状凹部を設けているので、ベース照明装置の外周にてスポット照明装置を移動することができる。このために、スポット照明装置によるスポット照明範囲を拡大することができる。
【００１５】
請求項３に係る発明によれば、ベース照明装置の外周にてスポット照明装置を駆動装置により自動的に駆動することができるので、スポット照明装置の移動をさらに簡単に行うことができる。
【００１６】
請求項４に係る発明によれば、スポット照明装置の照射部を傾動させても、ベース照明装置の照射光をスポット照明装置により遮光されることを防止または低減できる。
【図面の簡単な説明】
【００１７】
【図１】本発明の第１の実施形態に係る照明装置の全体の正面図。
【図２】図１のＩＩ−ＩＩ線断面図。
【図３】（ａ）は図２で示すスポット照明装置の側面図、（ｂ）は同（ａ）の正面図、（ｃ）は同スポット照明装置の変形例の正面図。
【図４】図１のスポット照明装置周辺部の拡大図。
【図５】本発明の第２の実施形態に係る照明装置の要部断面図。
【図６】（ａ）は図５で示すスポット照明装置の側面図、（ｂ）は同（ａ）の正面図、（ｃ）はさらに他の変形例の側面図。
【図７】本発明の第３の実施形態に係る照明装置の要部断面図。
【図８】本発明の第４の実施形態に係る照明装置の全体の正面図。
【図９】（ａ）は本発明に係る照明装置をショーケースの天井面に設け、そのスポット照明装置により、その真下の対象物を照明する場合の模式図、（ｂ）は同，対象物が（ａ）の位置から変更したときに、この対象物を、その真上からスポット照明装置により照明するためにスポット照明装置の取付位置を変更した場合の模式図、（ｃ）は同，スポット照明装置により対象物を斜めから照明する場合の模式図。
【図１０】（ａ）は本発明に係る照明装置をショーケースの側面に設け、このショーケース内の小さい対象物を照明する場合の模式図、（ｂ）は同，ショーケース内の大きい対象物を照明する場合の模式図。
【発明を実施するための形態】
【００１８】
以下、本発明に係る照明装置の実施形態を添付図面に基づいて説明する。なお、複数の添付図面中、同一または相当部分には同一符号を付している。
【００１９】
図１は本発明の第１の実施形態に係る照明装置１の正面図、図２は図１のＩＩ−ＩＩ線断面図である。これら図１，図２に示すように照明装置１は、例えば有蓋円筒状の照明装置本体２の正面中央部に、この照明装置本体２よりも若干小径で正面形状が例えば円形のベース照明装置３を地明かりとして同心円状に配設し、その外周部に、スポット取付部の一例である円形の環状凹部４を同心円状に形成している。また、この環状凹部４内には、正面形状が例えば円形のスポット照明装置５を、その周方向に移動可能に配設している。
【００２０】
図２に示すように照明装置本体２は、その外側壁２ａとその内側の内側壁２ｂとにより、所要開口幅の環状凹部４を形成している。内側壁２ｂは、外側壁２ａと同心円状に形成された環状壁から構成され、その図中環状上端を、環状の外側壁２ａの図中上端開口を閉じる円板状の上蓋部２ｃの内面に固着している。
【００２１】
内側壁２ｂは環状凹部４の内端面を形成する内端部２ｂ１の内側（図２では下端部）に、スポット照明装置５の図２中上端部が軸方向に挿脱可能に挿入される摺動ガイド溝２ｂ２を形成している。この摺動ガイド溝２ｂ２は、内側壁２ｂと同心円状の環状溝よりなり、スポット照明装置５の上端部を周方向に摺動させるように構成されている。
【００２２】
外側壁２ａは、その図２中上部内面に、環状の内リブ２ａ１を突設し、その突出先端と、内側壁２ｂの上部には、同一の高さにて、図２中左右一対の給電部６ａ，６ｂを、環状凹部４の開口幅を置いて対向配置している。
【００２３】
各給電部６ａ，６ｂは、その対向面側に開口し、スポット照明装置５の一対の受電部である導電性を有する丸棒状の受電ピン５ａ，５ｂを、その直径方向（図２では上下方向）で弾性的に挟持した状態で挿脱可能かつ摺動可能に挿入させて直流電力を給電可能に電気的に接触させる環状の摺動溝６ａ１，６ｂ１をそれぞれ形成している。各給電部６ａ，６ｂの外周囲は電気絶縁材により電気絶縁された状態で内側リブ６ａ１と内側壁２ｂにそれぞれ配設されている。
【００２４】
内側壁２ｂは、その図２中下端部に、ベース照明装置３の外側面に形成した係止段部３ａと係脱可能に係合する係止部２ｂ３を形成し、ベース照明装置３を着脱可能に支持している。
【００２５】
ベース照明装置３は、スポット照明装置５よりも配光幅の広い拡散性のある照明装置により構成されており、ＬＥＤ（発光ダイオード），ＥＬ（エレクトロルミネセンス）、蛍光ランプ等の少なくともいずれかの光源を具備している。これら光源は制御装置７にリード線により給電可能に電気的に接続され、その点，消灯，調光がこの制御装置７により制御される。
【００２６】
制御装置７は、照明装置本体２内に配設され、上記一対の給電部６ａ，６ｂに一対のリード線により直流電力が給電可能に電気的に接続され、スポット照明装置５の点，消灯，調光を制御するようになっている。
【００２７】
図３にも示すようにスポット照明装置５は、ベース照明装置３よりも小径の円筒状の器具本体５ｃ内に、図示しないＬＥＤを光源として具備した光源部５ｄと、この光源部５ｄからの光を外部に照射する照射部５ｅとを配設している。
【００２８】
この照射部５ｅは、傾動部５ｆを介して光源部５ｄに傾動可能に連結されている。傾動部５ｆはベローズ、器具本体２ｃの垂直方向と水平方向の２軸回りにユニバーサルに回動させる傾動機構（パン・チルト機構）や玉継手等から構成され、照射部５ｅをパンとチルト方向に傾動可能かつその傾動角を保持し得る。
【００２９】
図４に示すようにスポット照明装置５を環状凹部４内に挿入する場合は、スポット照明装置５を、その一対の受電ピン５ａ，５ｂを環状凹部４の周方向に一致させた状態で環状凹部４内に深く挿入し、図２に示すようにスポット照明装置５の図中上端部が摺動ガイド溝２ｂ２内に挿入され、当接したときに、図４に示すようにスポット照明装置５をその中心軸回りに約９０°回動させる。
【００３０】
すると、図２に示すようにスポット照明装置５の一対の受電ピン５ａ，５ｂが一対の給電部６ａ，６ｂの摺動溝６ａ１，６ｂ１内に係脱可能に挿入され、装着される。この装着状態で一対の受電ピン５ａ，５ｂは摺動溝６ａ１，６ｂ１の導電性弾性片により図中上下方向に弾性的に挟持される。
【００３１】
これら摺動溝６ａ１，６ｂ１と摺動ガイド溝２ｂ２が摺動可能であるので、スポット照明装置５をこれらに係合した状態で、環状凹部４の周方向に摺動させて移動し、所要の位置に保持させることができる。
【００３２】
また、この保持状態でスポット照明装置５をその軸心回りにほぼ９０°回動させることにより、一対の受電ピン５ａ，５ｂを一対の給電部６ａ，６ｂの摺動溝６ａ１，６ｂ１から取り外すことができる。
【００３３】
したがって、この照明装置１によれば、スポット照明装置５により対象物をスポット的に照明し、そのスポット光の周辺部を、地明かりとしてのベース照明装置３により照明できるので、そのスポット光周辺部の暗がりの暗さを低減できる。また、環状凹部４は、その周方向所要位置に、スポット照明装置５を取り付けることができるので、照明対象物の位置や大きさの変更に応じてスポット照明装置５の取付位置を容易に変更することができる。このために、従来例のように照明装置１自体の設置箇所を変更する必要がないので、その設置箇所を変更する場合の煩雑さを解消できる。
【００３４】
また、スポット照明装置５の照射部５ｂは、その傾動部５ｆにより、器具本体５ｃに対して傾動可能であるので、スポット照明装置５によるスポット光の照射範囲の拡大を図ることができる。
【００３５】
さらに、スポット照明装置５の照射部５ｂの照射面は、ベース照明装置３の照射面よりも照明装置本体２の内側へ若干後退しているので、地明かりのベース照明装置３の照射光がスポット照明装置５により遮光されることを低減または防止できる。
【００３６】
図３（ｃ）は上記スポット照明装置５の変形例５Ａの正面図を示しており、このスポット照明装置５Ａは、図３（ａ），（ｂ）で示す丸棒状の受電ピン５ａ，５ｂを、正面形状がほぼ矩形平板状の舌片５ａ１，５ｂ１に置換した点に特徴があり、これ以外は、図３（ａ），（ｂ）で示すスポット照明装置５と同様の構成である。
【００３７】
図５は本発明の第２の実施形態に係る照明装置１Ａの要部断面図である。この照明装置１Ａは、図６（ａ）で示すスポット照明装置５Ｂを具備した点に特徴がある。このスポット照明装置５Ａは、図２，図３（ａ），（ｂ）で示すスポット照明装置５の一対の受電ピン５ａ，５ｂの図中下方にて、左右一対の支持ピン５ｇ，５ｈを突設した点に特徴があり、これ以外の構成は図２，図３（ａ），（ｂ）で示すスポット照明装置５と同様である。この支持ピン５ｇ，５ｈは、その形状、寸法が一対の受電ピン５ａ，５ｂとほぼ同様に構成されており、必ずしも導電性を有さなくてもよい。
【００３８】
そして、図５に示すように照明装置１Ａは、スポット照明装置５Ｂのこれら一対の支持ピン５ｇ，５ｈを係脱可能かつ摺動可能に嵌入させる支持用摺動溝８ａ，８ｂを照明装置本体２の外側壁２ａの下部リブ２ａ２の突出先端部と、内側壁２ｂの下部とにそれぞれ形成している点に特徴があり、これ以外の構成は、図１，図２で示す照明装置１とほぼ同様である。
【００３９】
これにより、スポット照明装置５をその一対の受電ピン５ａ，５ｂと一対の支持ピン５ｇ，５ｈにより上下２段で支持できる。このために、支持力を増すことができる。
【００４０】
図６（ｃ）は、スポット照明装置５のさらに他の変形例５Ｃの側面図である。このスポット照明装置５Ｂは、図３（ａ），（ｂ）で示すスポット照明装置５の一対の受電ピン５ａ，５ｂを、ねじ込み式の口金９に置換した点に特徴があり、これ以外の構成はスポット照明装置５と同様である。口金９は、その頂端のアイレット９ａとその側面のねじ部９ｂで直流電力を受電する。
【００４１】
図７は本発明の第３の実施形態に係る照明装置１Ｂの要部断面図である。この照明装置１Ｂは、環状凹部４内に挿入し取り付けられたスポット照明装置５をステッピングモータ等のモータ１３により回動する駆動装置を設けた点に特徴があり、これ以外は図２，図５で示す照明装置１とほぼ同様の構成である。
【００４２】
すなわち、環状の内側壁２ｂの図７中上端開口を一体に閉じる内側上蓋部２ｂ４の中央部の図７中上端面に、円柱状のクロスバー１０を固着し、このクロスバー１０の図中上端面を、外側壁２ａの上蓋部２ｂの中央部内面に固着している。このクロスバー１０に駆動装置を設けている。
【００４３】
駆動装置は、クロスバー１０の外周に、その中心軸回りに回転可能に外嵌されたリングギア１１と、このリングギア１１の図７中下端を回転可能に支持するベアリング１２等を具備している。ベアリング１２の下端は、内側上蓋部２ｂ４の中央部に固着されている。
【００４４】
リングギア１１は、その環状全内周面にギア１１ａを形成しており、このギア１１ａには、ステッピングモータ等のモータ１３の回転軸１３ａの先端部に固着されたピニオン１４と噛み合っている。モータ１３は上蓋部２ｂの内面中央部に固定されている。
【００４５】
リングギア１１の外周面には、例えば棒状のアーム１５を固着している。アーム１５の外周部の図７中下面には、上記スポット照明装置５の図７中上端部を固着している。モータ１３には制御装置７を図示省略のリード線により電気的に接続している。制御装置７には、モータ１３の駆動を制御するための制御手段の一例としてマイクロプロセッサに設けている。また、制御装置７は図示しないリモコン（リモートコントローラ）によりモータ１３の駆動や、ベース照明装置３と、スポット照明装置５の点，消灯や調光度を遠隔制御するように構成している。
【００４６】
また、棒状のアーム１５を円板に置換し、この円板に複数のスポット照明装置５，５，…を固着することにより、複数のスポット照明装置５，５，…を同時に周方向に移動させることができる。
【００４７】
図８は本発明の第４の実施形態に係る照明装置１Ｃの正面図である。この照明装置１Ｃは、図１等で示す環状凹部４を、独立した複数の取付孔１２，１２，…に置換した点に主な特徴を有する。
【００４８】
これら取付孔１２，１２，…は図６（ｃ）で示すねじ込み式の口金９を有するスポット照明装置５Ｂが挿脱し得る大きさと形状（円形）に形成され、ベース照明装置３の所要箇所にそれぞれ形成される。
【００４９】
各取付孔１２は、その内端部に、スポット照明装置５Ｂの口金９がねじ結合されるねじ部（図示省略）を給電部に形成し、このねじ部から直流電力を給電し得るように構成されている。
【００５０】
したがって、この照明装置１Ｃによっても、スポット照明装置５Ｂにより対象物をスポット的に照明し、そのスポット光の周辺部を地明かりとしてのベース照明装置３により照明できるので、そのスポット光周辺部の暗がりの暗さを低減できる。また、取付孔１２，１２，１２は複数あるので、照明対象物の位置や大きさの変更に応じてスポット照明装置５Ｂ，５Ｂ，…の取付位置を容易に変更することができる。このために、照明装置１Ｃ自体の設置箇所を変更する場合の煩雑さを軽減できる。
【００５１】
また、スポット照明装置５の照射部５ｂはその傾動部５ｆにより、器具本体５ｃに対して傾動可能であるので、スポット照明装置５によるスポット光の照射範囲の拡大を図ることができる。
【００５２】
さらに、スポット照明装置５の照射部５ｂの照射面は、ベース照明装置３の照射面よりも照明装置本体２の内側へ若干後退しているので、地明かりのベース照明装置３の照射光がスポット照明装置５により遮光されることを低減または防止できる。
【００５３】
なお、上記各照明装置１，１Ａ，１Ｂ，１Ｃではベース照明装置３とスポット照明装置５の正面形状が円形の場合について説明したが、本発明は円形以外の矩形でもよく、形状には限定されない。
【００５４】
図９（ａ）〜（ｃ）は、上記照明装置１，１Ａ，１Ｂ，１Ｃのいずれか、例えば１を、宝石や指輪等のアクセサリー等の製品を照明の対象物１４として収容するショーウィンドーの天井面１３に設置した場合の対象物１４の照明方法を図示している。
【００５５】
図９（ａ）は対象物１４をその直上からスポット照明装置５により照明する場合を示している。このスポット光周辺は地明かりのベース照明装置３により照明する。このために、スポット光周辺の暗がりの暗さを低減し、明暗差を緩和させることができる。
【００５６】
また、図９（ｂ）に示すように対象物１４の位置が変更した場合に、この対象物１４を、その直上からスポット照明するときは、照明装置１の環状凹部４の取付位置を対象物１４の直上の取付位置に変更してスポット照明し、目立たせることができる。第３の実施形態に係る照明装置１Ｂの場合は、リモコンによる遠隔操作によりスポット照明装置５を対象物１４の直上に、モータ１３により自動的に移動させることができる。そして、このときも、ベース照明装置３の地明かりによりスポット光周辺の暗がりの暗さを低減し、明暗差を緩和できる。
【００５７】
また、図９（ｃ）に示すように対象物１４をその直上ではなく、斜め上方向からスポット照明する場合は、対象物１４の直上位置からベース照明装置３の直径方向反対側に、スポット照明装置５の取付位置を変更し、スポット照明装置５の照射角を傾動部５ｆにより対象物１４へ向けるように手操作で変更させる。
【００５８】
これにより、対象物１４をその斜め上方からスポット照明できる。このために、対象物１４が例えば指輪や宝石等光る製品の場合には、そのきらめき感をアップさせることができる。また、そのスポット光周辺の暗がりの暗さをベース照明装置３の地明かりにより緩和できる。
【００５９】
そして、スポット照明装置５の取付位置を変更する場合は、照明装置が第１，第２実施形態１，１Ａであるときは、スポット照明装置５を環状凹部４の摺動溝６ａ１，６ｂ１を摺動させて所要の位置に移動させることにより容易に行うことができ、照明装置１，１Ａ自体の設置箇所を変更する必要が無いので、従来例のように設置箇所を変更する場合の煩雑さを軽減できる。
【００６０】
また、第３実施形態に係る照明装置１Ｂの場合は、スポット照明装置５の位置をリモコン（図示せず）により自動的に移動できるので、さらに煩雑さを軽減できる。
【００６１】
そして、ベース照明装置３とスポット照明装置５の調光度を制御装置７により種々制御することにより、照明モードのバリエーションを増すことができる。
【００６２】
なお、照明装置１Ａ，１Ｂ，１Ｃは、図９，図１０に示すように、スポット照明装置５がベース照明装置３に対して後退しており、スポット照明装置５の傾斜角を変位させてもベース照明装置３の照射光を遮光することがない。
【００６３】
図１０は照明装置１，１Ａ，１Ｂ，１Ｃのいずれか、例えば１をショーウィンドーの側面１６に設置した場合の照明方法を図示している。
【００６４】
図１０（ａ）は対象物１４の高さが高い場合は、スポット照明装置５をベース照明装置３よりも高い位置に移動させ、スポット照射角を傾動部５ｆにより調整して対象物１４をスポット照明する。
【００６５】
一方、図１０（ｂ）に示すように対象物１４が低い場合は、スポット照明装置５をベース照明装置３よりも低い位置に移動させ、スポット角を傾動部５ｆにより調整して対象物１４を照明する。
【００６６】
この場合も図１０（ａ）〜（ｃ）で示す照明方法と同様に、スポット照明装置５により対象物１４をスポット照明できると共に、そのスポット光周辺の暗がりの暗さをベース照明装置３の地明かりにより低減し、明暗差を緩和できる。また、スポット照明装置５の取付位置を容易に変更できる。
【００６７】
なお、上記各照明装置１〜１Ｃでは、ベース照明装置３とスポット照明装置５の正面形状が円形の場合について説明したが、本発明はこれに限定されるものではなく、その形状は例えば矩形でもよく、形状には限定されない。また、ベース照明装置３とスポット照明装置５の両照射面はほぼ面一でもよく、さらに、ベース照明装置３を傾動可能に構成してもよい。
【符号の説明】
【００６８】
１，１Ａ，１Ｂ，１Ｃ…照明装置、２…照明装置本体、２ａ…外側壁、２ｂ…内側壁、２ｃ…上蓋部、３…ベース照明装置、４…環状凹部、５，５Ａ，５Ｂ…スポット照明装置、５ａ，５ｂ…一対の受電ピン、５ｃ…器具本体、６ａ，６ｂ…一対の給電部、６ａ１，６ｂ１…一対の摺動溝、７…制御装置、８ａ，８ｂ…一対の支持用摺動溝、９…口金、１３…駆動モータ、１５…アーム。
【図１】
2011034802.tif 000003
【図２】
2011034802.tif 000004
【図３】
2011034802.tif 000005
【図４】
2011034802.tif 000006
【図５】
2011034802.tif 000007
【図６】
2011034802.tif 000008
【図７】
2011034802.tif 000009
【図８】
2011034802.tif 000010
【図９】
2011034802.tif 000011
【図１０】
2011034802.tif 000012